(57)【要約】  【課題】  ＩＣカードＣとの電気的な接続を安定的に提供可能なコネクタ１の提供。  【解決手段】  ハウジング２およびハウジング２と対向設置するカバープレート３の間にスライドプレート４を設置する。スライドプレート４には、カード挿入孔１１側端部から延設するカード案内部４４を設け、スライドプレート４に穿設する位置決め孔３５に当接させて初期位置をとる。  スライドプレート４にはカード保持部４３をハウジング２側へ設けてＩＣカードＣを保持させ、カバープレート３側に摺動突起４１を設けスライドプレート４を摺動移動可能にし、押圧突部４５を山形に傾斜させて突設する。  そしてカバープレート３にも摺動突起４１、押圧突部４５が入り込める摺動溝３４、逃がし開口３６を設ける。  そして、摺動時には挿入完了直前に押圧突部４５が逃がし開口３６が下側に入り込みＩＣカードＣとコンタクト５とを押圧接触させる。  【選択図】  図１４
2010033935.tif 000002
【特許請求の範囲】
【請求項１】
絶縁体からなるハウジングを備え、
ハウジングと所定間隔を持って対向設置されてハウジングと係止されるシールドカバープレートを備え、
対向するハウジングとシールドカバープレートとの一端部を開口したカード挿入孔を備え、
カード挿入孔から挿入完了位置まで挿入したＩＣカードの接点部と接触圧を持って電気的接続が成されるコンタクトを備え、
板状体であってハウジングとシールドカバープレートとの間でＩＣカードの挿抜方向へ摺動移動可能であり、挿入されるＩＣカードのシールドカバープレート対向面を被覆するライドプレート本体を有し、挿入されるＩＣカードのハウジング対向面をハウジング側に露呈させて保持可能なカード保持部を有し、スライドプレート本体のカード挿入側端部には挿入されるＩＣカードによって押圧され挿入方向へ摺動移動可能なカード当接部を有するスライドプレートを備え、
スライドプレート本体には、シールドカバープレート側へ傾斜を持って突出する押圧突部を設け、シールドカバープレートにはＩＣカード挿入前の押圧突部対向位置からＩＣカード挿入完了直前の押圧突部対向位置に亘り押圧突部が入り込む逃がし開口を穿設し、
ＩＣカード挿入時には、挿入開始時から挿入完了直前までは押圧突部が逃がし開口に入り込みＩＣカードがコンタクトと接触しないようにハウジングと平行に移動され、挿入完了直前から挿入完了までは押圧突部が該突部の傾斜部に沿ってシールドカバープレート下側へ入り込みハウジング側へ近づくように移動してコンタクトとＩＣカードの接点部とが押圧力を持って電気的に接続されることを特徴とするＩＣカード用コネクタ。
【請求項２】
前記スライドプレートに設ける押圧突部、および、シールドカバープレートに設ける逃がし開口を、複数箇所に設ける請求項１に記載のＩＣカード用コネクタ。
【請求項３】
前記スライドプレートに設ける押圧突部のうちの一つは、装着されるＩＣカードの接点部とＩＣカードを挟んで対向するスライドプレート本体位置に設ける請求項１または請求項２に記載のＩＣカード用コネクタ。
【発明の詳細な説明】
【技術分野】
【０００１】
この発明はＩＣカード用コネクタに係り、詳細には、ＩＣのコンタクト部との接触をより良好にすることができるＩＣカード用コネクタに関する。
【背景技術】
【０００２】
現在においてはＩＣカードは様々な分野で利用されている。
そしてこれらＩＣカードとの電気的な情報交換を行うためにはＩＣカード用コネクタが用いられる。そして、ＩＣカード用コネクタは、銀行やクレジットなどで用いるキャッシュカードと接続するために用いたり、あるいは、自動車に搭載して高速道路等の料金を自動的に支払うための認証カードとして用いられたりしている。
【０００３】
ＩＣカード用コネクタは、該カードの長手方向へカード表面と並行にスライドさせてＩＣカード用コネクタに挿入するものがある。このタイプのＩＣカード用コネクタは、ＩＣカードを挿入時に、ＩＣカード用コネクタのＩＣカードと電気的な接続を行うコンタクトがＩＣカードの表面と接触しながら挿入されて行っては、ＩＣカードの接点部とコンタクトとが接触する前に、常に該カード表面とコンタクトとが摩擦力を持って接触して挿入され、又ＩＣカードを引抜く場合にも同様に接触されることとなり、挿抜の度にコンタクトが余分な接触を行うこととなっているので、コンタクトの摩耗が多く、接触不良を起こしてしまうと言う問題点を有していた。
【０００４】
そこで、ＩＣカード用コネクタへのＩＣカードの挿抜時に、ＩＣカードの挿入完了時にコンタクトがＩＣカードの接点部と接触するような機構を設け、ＩＣカード用コネクタのコンタクト摩耗を減少させ、コンタクトとＩＣカードとの電気的な接触を常に良好にする工夫がなされていた。
例えば、図１６は従来のＩＣカード用コネクタ１００であるが、上記接触タイミングの工夫をコンタクトの動作によって行っていた。
図１６に表す従来例１のＩＣカード用コネクタは、ＩＣカード用コネクタ１００の筐体であるハウジング１０１内には、ＩＣカードＣを挿入完了した位置におけるＩＣカードＣの接点部Ｃ１と対向位置に、コンタクト１０２を複数配設してある。コンタクト１０２は、ＩＣカードＣ挿入完了時にはＩＣカードＣの接点部Ｃ１と良好な接触圧をもって接触するようにばね力を持って構成されている。
【０００５】
即ち、図１６(ａ)に示すＩＣカードＣが挿入完了位置に達する直前の状態を表す説明図にあるように、コンタクト１０２は一端がハウジング１０１外部に位置されてプリント配線基板等の他の部材と電気的に接続される基板接続部１０２ａを設けてあり、他端が自由端であってＩＣカードＣと当接して揺動される当接端１０２ｇが設けられている。基板接続部１０２ａは、半田付け等により該基板と接続される。又、コンタクト１０２は基板接続部１０２ａに続けてハウジング１０１にコンタクト１０２が固定されるためのハウジング固定部１０２ｂを設ける。そしてコンタクト１０２は、ハウジング１０１形成時に、ハウジング１０１とハウジング固定部１０２ｂとが一体的に形成されて固定される。
コンタクト１０２は、ハウジング固定部１０２ｂの基板接続部１０２ａと反対側にはＩＣカードＣと接触させるためのばね力を持たせた可動部を形成する。即ち、ハウジング固定部１０２ｂから延設されてＵ字状に湾曲されて折り返されたばね部１０２ｃを形成する。ばね部１０２ｃは、固定部１０２ｂより先の部分であり、Ｕ字状に折り返されている折り返し部１０２ｄが先端である当接端１０２ｇより固定部１０２ｂ側に、即ち、挿入されて当接端１０２ｇに当接する前の対向位置にあるＩＣカードＣから離れて位置し、一方当接端１０２ｇは挿入されてくるＩＣカードＣの先端と当接するようＩＣカードＣ側に位置している。
【０００６】
そして、ばね部１０２ｃの折り返し部１０２ｄと当接端１０２ｇとの間は揺動支点部１０２ｅであり、折り返し部１０２ｄよりも更にＩＣカードＣより離れ定置されている。従って、コンタクト１０２のばね部１０２ｃは、図１６(ａ)に表されているように、当接端１０２ｇよりＩＣカードＣから離れた側に位置している。
【０００７】
このように形成される従来例１では、図１６(ａ)に表す白抜き矢示方向にＩＣカードＣが挿入されると、ＩＣカードＣの挿入側先端が当接端１０２ｇと当接し、更に挿入を行うと、当接端１０２ｇがＩＣカードＣの挿入側先端に押されて図中下方、即ち、ハウジング１０１側へと移動されることとなる。この時のばね力による移動は、揺動支点部１０２ｅの部位を中心に、当接端１０２ｇ側がハウジング１０１側へ移動することによる反作用で折り返し部１０２ｄがハウジング１０１とは反対側、即ち上方へ移動することとなる。
【０００８】
そして、更にＩＣカードＣの挿入が進み、コンタクト１０２の当接端１０２ｇがＩＣカードＣの下面側（接点部Ｃ１を設けてある面）まで到達したときには、折り返し部１０２ｄが上方へ移動され、図１６(ｂ)に表すように、ＩＣカードＣの接点部Ｃ１に当接して電気的な接触をした状態となる。
この時コンタクト１０２は  ＩＣカードＣによってばね部１０２ｃ全体がハウジング１０１側へ押圧されているので、ＩＣカードＣの接点部Ｃ１に当接している折り返し部１０２ｄのカード接触部１０２ｆ及び当接端１０２ｇがＩＣカードＣと接触圧をもって接触していることとなる。
【０００９】
上記従来例１は、ＩＣカードＣをＩＣカード用コネクタ１００へ挿入した当初、コンタクト１０２がＩＣカードＣ表面と当接せずに、ＩＣカードＣを挿入して挿入完了位置に到達する直前で、コンタクト１０２がＩＣカードＣの接点部Ｃ１と当接するようにしたものである。そしてこれを実現するためのコンタクト１０２を移動させる手段として、コンタクト１０２自体がＩＣカードＣによって揺動されて接触部１０２ｆが接点部Ｃ１と当接するように、コンタクト１０２自体の構造によるものである。そして、挿入されるＩＣカードＣは、水平方向へ（ハウジング１０１と等間隔を持って平行に）移動されている。
これに対し、ＩＣカードＣ挿入時にＩＣカードＣ自体を移動させて挿入完了時にコンタクトとの接触を図る従来例が有った。
【００１０】
図１７は、ＩＣカードＣを挿入時に移動させることでコンタクトと接触させる機構を有するＩＣカード用コネクタの従来例であり、以下従来例２という。図１７(ａ)はＩＣカードＣを挿入してＩＣカードＣとコンタクトとが接触する前の状態を表し、図１７(ｂ)はＩＣカードＣが挿入完了位置に納まってＩＣカードＣとコンタクトとが接触を完了した状態を表している。
従来例２は、ＩＣカード用コネクタ２００は、ＩＣカードＣ装着時にＩＣカードＣと対向するように合成樹脂成形したハウジング２０１を設けてある。ハウジング２０１には、ＩＣカードＣ装着時の接点部Ｃ１と対向する位置にコンタクト２０２を設けてある。
コンタクト２０２は、一端が折曲されてハウジング２０１のＩＣカードＣとは反対側面に突設して基板等と電気的な接続を行う固定部２０２ａを設けてハウジング２０１に固定され、他端側が折曲されてばね力を持ってＩＣカードＣ側に設けられて揺動可能であり、揺動端先端側には、ＩＣカードＣの接点部Ｃ１と当接して電気的な接続を行う接触部２０２ｂが設けられている。接触部２０２ｂは、ＩＣカードＣによって押圧されると、そのばね力により良好な接触圧を得る。
【００１１】
又、ハウジング２０１のＩＣカードＣ挿入方向と交差する側の両側側面にはガイドプレート２０３を立設してある。ガイドプレート２０３には、ガイド溝部２０３ａが穿設されている。そして、ガイド溝部２０３ａには、スライドプレート２０４の両側に突出させたガイド部（図示せず）が嵌入係止され、ガイド溝部２０３ａに沿ってガイド部（図示せず）が移動可能である。したがって、スライドプレート２０４はガイド部（図示せず）がガイド溝部２０３ａに案内されて移動可能になっている。
この移動方向は、ＩＣカードＣ挿入からＩＣカードＣが所定位置に装着される方向が図１７中に白抜き矢示で表す方向である。そして、ガイド溝部２０３ａは、案内するスライドプレート２０４が白抜き矢示側へ移動終了してＩＣカードＣが所定位置に装着される時にスライドプレート２０４をコンタクト２０２側へ（図中下方へ）移動させるように、図中左側が下方へ斜めになるように穿設されている。
【００１２】
スライドプレート２０４は、ハウジング２０１と略並行にハウジング２０１のコンタクト２０２の接触部２０２ｂを突設した側へ設けてあり、スライドプレート２０４とハウジング２０１との間にＩＣカードＣを保持してＩＣカードＣがスライドプレート２０４と共にスライドするように構成されている。スライドプレート２０４に保持されたＩＣカードＣは、ＩＣカード用コネクタ２００に挿入当初からスライドプレート２０４に保持されるまではスライドプレート２０４に入り込むだけであり、スライドプレート２０４の所定位置まで挿入されると、スライドプレート２０４のカード挿入先端側に設ける当接部（図示せず）がＩＣカードＣの挿入側先端に押圧されてガイド溝部２０３ａに案内されながら移動可能である。
【００１３】
このように形成する従来例２では、スライドプレート２０４とハウジング２０１との間に挿入されたＩＣカードＣがスライドプレート２０４に保持される。この時の状態が図１７(ａ)に表す状態である。そしてこの状態から更にＩＣカードＣの挿入を進めるとその先端がスライドプレート２０４を押圧するとスライドプレート２０４のガイド部（図示せず）がガイド溝部２０３ａに案内されて移動し、やがて、スライドプレート２０４のガイド部（図示せず）がガイド溝部２０３ａの傾斜部分に至り、更にＩＣカードＣの挿入が進むと、スライドプレート２０４はガイド溝部２０３ａに案内されてハウジング２０１側へ近付くように移動し、やがて最もハウジング２０１側へ移動したところでＩＣカードＣが装着完了位置に達する。
【００１４】
ＩＣカードＣが装着完了位置に到達したときには、スライドプレート２０４がハウジング２０１側へ移動し、ＩＣカードＣの接点部Ｃ１がコンタクト２０２の接触部２０２ｂと接触して更に接触部２０２ｂを下方へ押圧移動させているので、接触部２０２ｂが接点部Ｃ１と押圧力を持って接触し電気的な接続を完了する。
【発明の開示】
【発明が解決しようとする課題】
【００１５】
しかしながらコンタクト１０２が揺動移動すると共に下方へ移動してコンタクト１０２とＩＣカードＣとの接触圧を確保する従来例１では、複数設けるコンタクト１０２の寸法のバラツキやハウジング１０１とコンタクト１０２との一体成型時の取付け位置のバラツキなどの要因によってコンタクト１０２とＩＣカードＣとの接触圧を一定にすることが困難であり、大量生産の際に接触圧を安定させることが困難であるという問題点を有した。
【００１６】
一方、ＩＣカードＣ自体をコンタクト１０２側へ移動させてＩＣカードＣとコンタクト２０２との接触圧を確保する従来例２では、ＩＣカードＣをコンタクト２０２側へ移動させるスライドプレート２０４がＩＣカードＣのコンタクト２０２とは反対面に有りＩＣカードＣをコンタクト２０２側へ移動させているにも拘らず、移動させるための案内を行うガイド溝部２０３ａがＩＣカードＣの側部に有り、スライドプレート２０４のガイド部（図示せず）も同様にＩＣカードＣの側部に有る。このことから、ＩＣカードＣをコンタクト側へ付勢する際の付勢力発生の支点がガイド溝部２０３ａにあり、ＩＣカードＣをコンタクト側に付勢する際の反力によりスライドプレート２０４に反りが発生する等から、やはりＩＣカードＣとコンタクト２０２との良好な接触圧を得ることが難しいという問題点を有した。
又、従来例２では、ＩＣカード用コネクタ２００を車載した時などに振動が発生すると、スライドプレート２０４の反りなどがより顕著に発生し、振動による接触不良を発生させる等の問題点を有した。
【００１７】
そこで上記問題点に鑑み、車載時等振動が発生しても接触不良を起こしにくく、良好な接触圧を得ることが可能なＩＣカード用コネクタの提供を課題とする。
【課題を解決するための手段】
【００１８】
この発明では、ＩＣカード用コネクタが、ＩＣカードをハウジング側へ移動させてコンタクトとＩＣカードとを電気的に接続させた際に接触圧を確実に得ることができる構造とするため、
【００１９】
絶縁体からなるハウジングを備え、ハウジングと所定間隔を持って対向設置されてハウジングと係止されるシールドカバープレートを備え、対向するハウジングとシールドカバープレートとの一端部を開口したカード挿入孔を備え、カード挿入孔から挿入完了位置まで挿入したＩＣカードの接点部と接触圧を持って電気的接続が成されるコンタクトを備え、板状体であってハウジングとシールドカバープレートとの間でＩＣカードの挿抜方向へ摺動移動可能であり、挿入されるＩＣカードのシールドカバープレート対向面を被覆するライドプレート本体を有し、挿入されるＩＣカードのハウジング対向面をハウジング側に露呈させて保持可能なカード保持部を有し、スライドプレート本体のカード挿入側端部には挿入されるＩＣカードによって押圧され挿入方向へ摺動移動可能なカード当接部を有するスライドプレートを備え、
スライドプレート本体には、シールドカバープレート側へ傾斜を持って突出する押圧突部を設け、シールドカバープレートにはＩＣカード挿入前の押圧突部対向位置からＩＣカード挿入完了直前の押圧突部対向位置に亘り押圧突部が入り込む逃がし開口を穿設し、
ＩＣカード挿入時には、挿入開始時から挿入完了直前までは押圧突部が逃がし開口に入り込みＩＣカードがコンタクトと接触しないようにハウジングと平行に移動され、挿入完了直前から挿入完了までは押圧突部が該突部の傾斜部に沿ってシールドカバープレート下側へ入り込みハウジング側へ近づくように移動してコンタクトとＩＣカードの接点部とが押圧力を持って電気的に接続されることを特徴とするＩＣカード用コネクタ、
【００２０】
を提供する。従って、このＩＣカード用コネクタでは、スライドプレートが挿入孔から挿入されるＩＣカードを保持する。そして、ＩＣカードを挿入して押圧するとスライドプレートのカード当接部がＩＣカードに押圧されて摺動しＩＣカードを移動させる。この時のスライドプレートの移動方向は、スライドプレートに設ける押圧突部がシールドカバープレートに穿設した逃がし開口に入り込んでいるので、ハウジングと平行に移動することとなる。
やがて、ＩＣカードの挿入が進み、挿入完了位置の直前となると、押圧突部が逃がし開口の端部に位置しており、更に挿入が進むと押圧突部の傾斜部が逃がし開口の端部に沿って移動されて押圧突部がシールドカバープレートのハウジング側となる下方へ入り込むこととなり、ＩＣカードはハウジング側へと移動される。これによりＩＣカードの接点部がハウジングに設けるコンタクトに押圧されて接触し、良好な押圧力を持って電気的に接続されることとなる。
また、ＩＣカードの接点部とコンタクトとのより良好な接触状態を得るために、
【００２１】
前記スライドプレートに設ける押圧突部、および、シールドカバープレートに設ける逃がし開口を、複数箇所に設ける構成とする。
【００２２】
この構成では、スライドプレートがＩＣカードをハウジング側へ移動させるためのシールドカバープレートから得る押圧力を複数箇所で得ることとなる。
更にこの発明では、
【００２３】
前記スライドプレートに設ける押圧突部の一つは、装着されるＩＣカードの接点部とＩＣカードを挟んで対向するスライドプレート本体位置に設ける構成とする。
この構成では、押圧突部がＩＣカードの接点部をＩＣカードの背面側から押圧することとなる。これにより押圧突部がスライドプレートの剛性から得る押圧力がＩＣカードの接点部へ直接作用することとなる。
【発明の効果】
【００２４】
従って、この発明によれば、ＩＣカード挿抜時にＩＣカードとコンタクトとがＩＣカード装着完了位置直前で接触することとなるので、コンタクトとＩＣカードとが接触したままスライドすることがないので、ＩＣカードおよびコンタクトの接触摩耗を低減させるのに加え、ＩＣカードをコンタクト押圧接触させる押圧力をＩＣカード全体を被覆するシールドカバープレート全体の剛性から得ることができるので、良好な接触圧を得ることができる。
そして、良好な接触圧を得ることでＩＣカード用コネクタ全体に振動等による衝撃が加わってもＩＣカードとコンタクトとの接触が容易に解除されることが少なくなり、耐震性に優れ、安定した接触の保持が可能となる。
【００２５】
更に、押圧突部および逃がし開口を複数箇所に設けることにより、ＩＣカードをハウジング側へ押圧する箇所が増加するため、より良好な押圧状態を得ることが可能となるのに加え、押圧状態を安定して提供可能となる。
更にまた、押圧突部および逃がし開口をＩＣカードの接点部位置に設けることで、コンタクトとの接触圧を得るための押圧を接点部に背面側から直接加えることができるので、衝撃等により他の部位が振動移動しても、接点部が振動移動することはないので、より確実で安定したＩＣカードとコンタクトとの電気的な接続が可能となる。
【実施例１】
【００２６】
以下に、この発明の実施例を図面に基づき説明する。
図１はこの発明の実施例を表す斜視説明図であり、図２はこの発明の実施例を表す平面説明図であり、図３はこの発明の実施例を表す底面説明図であり、図４はこの発明の実施例の部品を表す斜視説明図であり、図５はこの発明の実施例の部品を表す平面説明図であり、図６はこの発明の実施例の部品を表す裏面説明図であり、図７はこの発明の実施例の部品を表す側面説明図であり、図８はこの発明の実施例の部品を表す斜視説明図であり、図９はこの発明の実施例の部品を表す平面説明図であり、図１０はこの発明の実施例の部品を表す側面説明図であり、図１１はこの発明の実施例の部品を表す挿入孔側側面説明図であり、図１２はカード挿入前の状態を表す図２Ａ−Ａ線断面説明図であり、図１３はカード挿入途中の状態を表す図２Ａ−Ａ線断面説明図であり、図１４はカード挿入完了時の状態を表す図２Ａ−Ａ線断面説明図であり、図１５はホールドダウンを表す説明図であり（ａ）はこの発明の実施例の裏面側斜視説明図、（ｂ）はホールドダウン部分の拡大説明図である。
【００２７】
１はＩＣカード用コネクタである。ＩＣカード用コネクタ１は、図１に表すように、ＩＣカードＣを内包可能であり、板状の絶縁体からなるＩＣカードＣと電気的な接続を成すコンタクト５を設けたハウジング２を備える。また、ハウジング２と所定間隔を持ってハウジング２と係止するメタルプレートからなるシールドカバープレート３を備える。そして、対向するハウジング２とシールドカバープレート３とは、四方端のうちの一端部を開口してカード挿入孔１１を形成し、他の三方は係止固定される。
【００２８】
カード挿入孔１１から挿入されるＩＣカードＣは、ＩＣチップを内蔵する板状体からなり、表面にはＩＣチップと情報交換を行うための接点部Ｃ１を有する。ＩＣカードＣの構成は規格によって定められているので、接点部Ｃ１の位置は決定している。
また、この実施例では挿入側とは、このＩＣカードＣを挿入する方向に位置する側をいい、脱抜側とは、挿入側と対向する側をいい、更に幅方向あるいは幅側とは挿入側に対して直交する側をいうものとする。
【００２９】
従ってコンタクト５は、図１２乃至図１４に表すように、カード挿入孔１１から挿入完了位置までＩＣカードＣが挿入された時に接点部Ｃ１と対向している位置に設ける。そして、コンタクト５は、一端がハウジング２のシールドカバープレート３とは反対側の外部へ位置されて基板固定部５１を形成し、基板固定部５１に続く中間部５２がハウジング２と一体的に形成されて固定され、他端は挿入されるシールドカバープレート３側へ突出するように位置される。コンタクト部５３は、中間部５２から延設されてばね力を有し、先端側はシールドカバープレート３側へ突状の山形状に折曲されて設ける。
そして、コンタクト５は、ＩＣカードＣが挿入時および挿入途中では、コンタクト部５３がＩＣカードＣと接触しない位置に設置されている。
【００３０】
シールドカバープレート３は、メタルプレートにプレス加工を施して形成し、短手方向側縁の一方がカード挿入孔１１を形成する。また、他の短手方向側縁は、対向設置されるハウジング２側へ折曲されてハウジング係止部３１を形成してハウジング２に設けた係止突起と係止固定される。更にこの短手方向側縁には、プレート本体３２から延設され先端をハウジング２の下面に位置するようＬ字状に折曲されるシールド固定部３３を形成する。シールド固定部３３は、ＩＣカード用コネクタ１をフレームプレート（図示せず）や電子機器の筐体（図示せず）へ固定する際のねじ固定に用いる。そして、このシールド固定部３３は、シールド固定部３３一体なので、ねじ固定された際にはシールドアースとして機能可能である。また、シールドカバープレート３の長手方向側縁にもハウジング係止部３１を複数設けハウジング２と係止可能に形成する。ハウジング係止部３１は、この実施例では係止孔として穿設し、ハウジング２に設ける係止突部と係止するように形成したが、特に限定されるものではなく、係止方法は通常用いられている方法であればよい。
【００３１】
この実施例では、シールドアースであるホールドダウンをシールド固定部３３の２点以外に、シールド固定部３３が位置するハウジング２の端部と対向する側の端部側にも設ける。即ち、ホールドダウン３８である。ホールドダウン３８は、ハウジング２と一体成形されホールドダウン３８位置からハウジング端部の間にホールド金具３８ａとして設ける。ホールド金具３８ａは、ホールドダウン３８位置には雌ねじを螺設して裏面側に開口し、ハウジング２の端縁側面まで延設して端縁側面で折曲し、シールドカバープレート３に設けるプレート接触部３８ｂと押圧接触して電気的に接続されるように設ける。そして、プレート接触部３８ｂは端縁側面にばね力を持って露呈されたホールド金具３８ａの折曲部と当接するので、ホールドダウン３８にネジ止めされるフレームプレート（図示せず）等の外部機器とシールドカバープレート３とが電気的に良好な接続が成される。
このように、ホールドダウン３８を設けることで、この実施例では合計４カ所のシールドアースが行われることとなり、従来はシールド固定部３３の２カ所のみであったために良好なシールドアースが行えない場合が生じてしまうという問題点が解決された。
【００３２】
また、シールドカバープレート３にはスライドプレート４と摺動係止可能な摺動溝３４を穿設する。摺動溝３４は、プレート本体３２の幅側の端部に穿設する。摺動溝３４の穿設位置は、スライドプレート４に設ける摺動突部４１の位置により適宜決定される。
同様に、シールドカバープレート３にはスライドプレート４のＩＣカードＣ挿入前初期位置を決定するための位置決め孔３５を穿設する。この位置決め孔３５は２カ所穿設するが、穿設位置は、スライドプレート４に設けるカード案内部４４の位置により適宜決定する。
更に同様に、シールドカバープレート３にはスライドプレート４に設ける第１押圧突部４５が入り込む第１逃がし開口３６と同じくスライドプレート４に設ける第２押圧突部４７が入り込む第２逃がし開口３７とを穿設する。この第１逃がし開口３６および第２逃がし開口３７はそれぞれ第１押圧突部４５および第２押圧突部４７に対応して設けられ、穿設位置は、スライドプレート４に設けるそれらの位置により適宜決定する。
【００３３】
４はスライドプレートである。スライドプレート４は、ハウジング２とシールドカバープレート３との間に設置され、カード挿入孔１１側からカード挿入孔１１と対向側へ摺動可能に形成される。
スライドプレート４は、メタルプレートをプレス加工してスライド本体４ａを形成し、ＩＣカードＣと共に摺動する挿入方向長は、ＩＣカードＣの長手方向長の半分程度であり、ＩＣカードＣの短手方向である幅方向長はシールドカバープレート３の短手方向長より稍短く形成する。従って、スライドプレート４がハウジング２とシールドカバープレート３との間に設置されると長手方向が挿入されるＩＣカードＣの幅方向となり、短手方向がＩＣカードＣの挿抜方向となる。
そして、スライドプレート４には、シールドカバープレート３と摺動可能に係止するための摺動突部４１を設ける。摺動突部４１は、図１１等に表すように、スライドプレート４の短手方向端に、ハウジング２とシールドカバープレート３との間、即ちシールドカバープレート３の裏面側に位置しているスライドプレート４からシールドカバープレート３の表面側へ位置するようにＬ字状に折曲して設ける。この摺動突部４１をシールドカバープレート３の裏面側から摺動溝３４を通り表面側（平面側）へ位置させてシールドカバープレート３のプレート本体３２表面へ引っかけてスライドプレート４をシールドカバープレート３へ支持させている。
このようにスライドプレート４は摺動突部４１と摺動溝３４とによってシールドカバープレート３に摺動可能に係止される。
【００３４】
また、スライドプレート４の長手方向端となる挿入側端部には、摺動突部４１とは反対にハウジング２側へ折曲させたカード当接部４２を設ける。更に、幅側端部には、同様にハウジング２側へ、相互に対向するようにＬ字状に折曲させたカード保持部４３を設ける。カード保持部４３は、図１１に表すように、Ｌ字状に折曲された面とスライド本体４ａとの間にＩＣカードＣの端部が入り込める間隔を持って設ける。従って、ＩＣカードＣは、カード挿入孔１１から挿入してカード保持部４３によってスライドプレート４に保持されながら挿入側先端がカード当接部４２に当接する。また、カード保持部４３のカード挿入孔１１側は、ハウジング２側へと緩やかな斜面をもって下部案内部４３ａを形成して広げており、カード挿入孔１１から挿入されたＩＣカードＣが下方へ傾けて挿入されても、下部案内部４３ａに当接して後、下部案内部４３ａの斜面に案内されてカード保持部４３とスライド本体４ａとの間に挿入可能である。
【００３５】
ＩＣカード用コネクタ１におけるスライドプレート４のＩＣカードＣ挿入前初期位置を決めるのは、スライドプレート４に設けるカード案内部４４である。カード案内部４４は、スライド本体４ａの脱抜側端部からカード挿入孔１１側へ突出するように脱抜側端部に２カ所設ける。このカード案内部４４は、シールドカバープレート３側へ斜めに設け、その先端をシールドカバープレート３に穿設する位置決め孔３５の縁部と当接する位置となるように更に折曲させて設ける。
そして、スライドプレート４は、図示しないコイルばねにより、ＩＣカードＣ未装着状体では常にカード案内部４４の先端がシールドカバープレート３の位置決め孔３５端縁と当接しているように付勢される。この付勢は、コイルばねの一端をハウジング２あるいはシールドカバープレート３の適宜位置へ係止させ、コイルばねのばね力が脱抜方向へ加わるように他端をスライドプレート４の適宜位置へ係止して行われるが、従来からあるコネクタ等で行われているのと同様に行えば足りる。
【００３６】
更にスライドプレート４のスライド本体４ａには、装着されたＩＣカードＣがカード当接部４２に当接した状態でＩＣカードＣの接点部Ｃ１と対向する位置に、シールドカバープレート３側へ突出するよう第１押圧突部４５を設ける。第１押圧突部４５は、山形状に突部頂上に向けて傾斜して設ける。
第１押圧突部４５は、ＩＣカードＣ挿入前から最奥部まで挿入されカード当接部４２がＩＣカードＣによって押圧されてスライドプレート４が摺動移動を開始しＩＣカードＣが装着完了位置となる直前までは、シールドカバープレート３に穿設した第１逃がし開口３６に入り込んだ状態で摺動移動されて第１押圧突部４５の傾斜部４６が第１逃がし開口３６の挿入側端部３６ａと当接する位置に設ける。そして第１押圧突部４５は、それ以後ＩＣカードＣ装着完了位置では、傾斜部４６が第１逃がし開口３６の挿入側端部３６ａに案内されてシールドカバープレート３の下側、即ちハウジング２側へ下降するように摺動移動する位置に設ける。従って、スライドプレート４は、第１押圧突部４５の傾斜部４６が第１逃がし開口３６の挿入側端部３６ａに案内されてハウジング２側へ下降移動することでスライドプレート４自身もハウジング２側へ移動される。
そして、ＩＣカード装着完了位置では、ＩＣカードＣの接点部Ｃ１とコンタクト５のコンタクト部５３とが、コンタクト５のばね力により良好な押圧力を持って電気的な接続が成された状態となる。
【００３７】
第２押圧突部４７は、スライドプレート４の四方端部付近に設けられる。そして、第２押圧突部４７は、第１押圧突部４５同様にＩＣカードＣ挿入前から最奥部まで挿入されカード当接部４２がＩＣカードＣによって押圧されてスライドプレート４が摺動移動を開始しＩＣカードＣが装着完了位置となる直前までは、シールドカバープレート３に穿設した第１逃がし開口３７に入り込んだ状態で摺動移動されて第２押圧突部４７の傾斜部４８が第１逃がし開口３７の挿入側端部３７ａと当接する位置に設ける。そして第２押圧突部４７は、それ以後ＩＣカードＣ装着完了位置では、傾斜部４８が第２逃がし開口３７の挿入側端部３７ａに案内されてシールドカバープレート３の下側、即ちハウジング２側へ下降するように摺動移動する位置に設ける。従って、スライドプレート４は、第１押圧突部４５と共に第２押圧突部４７の傾斜部４８が第２逃がし開口３７の挿入側端部３７ａに案内されてハウジング２側へ下降移動することでスライドプレート４自身もハウジング２側へ移動される。
【００３８】
このように第１押圧突部４５と第１逃がし開口３６の位置関係、第２押圧突部４７とい第２逃がし開口３７との位置関係は、相互に同じ位置でそれぞれが当接してそれ以降は第１押圧突部４５および第２押圧突部４７が同時にハウジング２側へ下降しながら摺動移動するように設ける。
尚、この実施例では、第２押圧突部４７および第２逃がし開口３７を設けたが、必ずしも第２押圧突部４７および第２逃がし開口３７を設けなくともよく、スライドプレート４が摺動移動しながらスムーズにハウジング２側へ下降できるように第１押圧突部４５の傾斜部４６を幅方向に長くとる等して形成してもよい。また、第１押圧突部４５はこの実施例では装着されたＩＣカードＣの接点部Ｃ１と対向するように設けたが、該位置からずらして設けてもよく、スライドプレート４が摺動しながらハウジング２方向へ下降してＩＣカードＣの接点部Ｃ１とコンタクト５とが良好な接触を行えれば足りる。
【００３９】
そして、先に説明したスライドプレート４のカード案内部４４とシールドカバープレート３の摺動溝３４は、第１押圧突部４５が第１逃がし開口３６の挿入側端部３６ａに案内されてハウジング２側へ下降移動を開始する位置と同じタイミングでカード案内部４４がハウジング２側へ下降可能なように摺動突起４１が位置する摺動溝３４の挿入側周囲部をハウジング２側へ傾斜させ傾斜部３４ａを設けてある。
【００４０】
また、６はイジェクト装置であり、イジェクト装置６は挿入されたＩＣカードＣが最奥部まで到達し装着完了位置になると、スライドプレート４に設ける係止部（図示せず）が係止してスライドプレート４を該位置に留まらせ、押圧ボタン６１を押圧することで、該係止部（図示せず）の係止を解除させてスライドプレート４を自由にさせ、図示しないコイルばねのばね力によりカード案内部４４が位置決め孔３５の端部に当接してスライドプレート４を初期位置へと戻す。尚、イジェクト装置６やスライドプレート４に戻り力を与えるコイルばね等は、従来から実施されているものであり詳説は省略する。
【００４１】
以下にこの発明の実施例の作用を説明する。
図１２に表すように、ＩＣカードＣがカード挿入孔１１から挿入されると、まずＩＣカードＣの挿入側先端がスライドプレート４のカード当接部４２に当接する。尚、ＩＣカードＣを挿入してＩＣカードＣが稍曲がって入っていっても、カード案内部４４の傾斜部や下部案内部４３ａに当接しこれら案内部４４，４３ａの緩やかな斜面に沿ってカード保持部４３とスライド本体４ａとの間へと挿入される。
ＩＣカードＣがカード当接部４２に当接して後も挿入が続けられると、スライドプレート４は図示しないコイルばねの付勢力に抗して挿入側へとスライド移動される。この時スライドプレート４は、シールドカバープレート３の摺動溝３４に摺動突起４１が摺動可能に係止されているので、摺動溝３４に案内されて摺動移動される。
この時、ＩＣカードＣとコンタクト５とは接触していない。
【００４２】
スライドプレート４の摺動移動が続けられやがて図１３の位置に達する。即ち、第１押圧突部４５の傾斜部４６が第１逃がし開口３６の挿入側端部３６ａに到達して当接し、第２押圧突部４７の傾斜部４８が第２逃がし開口３７の挿入側端部３７ａに到達して当接する。この時、摺動突起４１は摺動溝３４周囲部に設けた傾斜部３４ａのすぐ手前に位置しており、これ以後傾斜部３４ａに沿って移動可能となる。
図１３に表すスライドプレート４位置では、ＩＣカードＣとコンタクト５とは未だ接触しておらず設計された適宜間隔を有している。
【００４３】
図１３に表す位置から更にＩＣカードＣを押圧して挿入を続けると、第１押圧突部４５の傾斜部４６は第１逃がし開口３６の挿入側端部３６ａに案内されてハウジング２側となる下方へと移動されながら摺動移動しＩＣカードＣの挿入を続けることとなる。同様に、第２押圧突部４７も第２逃がし開口３７の挿入側端部３７ａに案内されてハウジング２側となる下方へと移動されながら摺動移動しＩＣカードＣの挿入を続けることとなる。この時、摺動溝３４に案内されるカード保持部４３は、摺動溝３４の周囲部に傾斜部３４ａが設けられているので、やはりハウジング２側へ下降しながら移動可能である。
【００４４】
そして、スライドプレート４が下降しながら摺動を続けると、図１３に表す位置と、図１４に表す位置との中間位置で、ＩＣカードＣも共に下降することでＩＣカードＣとコンタクト５とが接触することとなる。この接触は、図１４に表すＩＣカードＣ装着完了位置のなるべく直前であるのが好ましく、且つコンタクト５の接触圧が十分に付与される位置でなければならない。
このＩＣカードＣ装着完了位置は、摺動溝３４の挿入側の端部に摺動突起４１が当接する位置であり、該位置となるように摺動溝３４および摺動突起４１が位置するように設計される。尚、装着完了位置は、例えばスライドプレート４の挿入側先端と当接するようにシールドカバープレート３の一部を切り欠いてスライドプレート４側へ折り曲げて位置決めする等により成されてもよい。
そして、図１４に表すＩＣカードＣ装着完了位置では、コンタクト５がそのばね力に抗して下方へ押し下げられてＩＣカードＣの接点部Ｃ１と良好な押圧力を持って接触し電気的な接続が成される。
尚、ＩＣカードＣの装着を解除してＩＣカードＣを抜き取る場合には、イジェクト装置６のイジェクトボタン６１を押圧してイジェクト装置６によるスライドプレート４の係止を解除し、図示しないコイルばねのばね力により挿入孔１１側、即ち脱抜側へとスライドプレート４を移動させてイジェクト操作を完了する。
【００４５】
この実施例ではイジェクト装置６を設けたが、ＩＣカードＣの挿入脱抜をイジェクト装置６を設けずに使用者が直接行うように形成してもよい。
【産業上の利用可能性】
【００４６】
この発明は、ＩＣカードを装着して電気的に接続させるＩＣカード用コネクタに利用可能であり、特に、振動等が発生する可能性が高く、ＩＣカードの接点部とコンタクトを良好な接触圧を持ってしかも安定的に接触させる必要がある箇所に用いるＩＣカード用コネクタに利用することでより効果を発揮する。
【図面の簡単な説明】
【００４７】
【図１】この発明の実施例を表す斜視説明図
【図２】この発明の実施例を表す平面説明図
【図３】この発明の実施例を表す底面説明図
【図４】この発明の実施例の部品を表す斜視説明図
【図５】この発明の実施例の部品を表す平面説明図
【図６】この発明の実施例の部品を表す裏面説明図
【図７】この発明の実施例の部品を表す側面説明図
【図８】この発明の実施例の部品を表す斜視説明図
【図９】この発明の実施例の部品を表す平面説明図
【図１０】この発明の実施例の部品を表す側面説明図
【図１１】この発明の実施例の部品を表す挿入孔側側面説明図
【図１２】カード挿入前の状態を表す図２Ａ−Ａ線断面説明図
【図１３】カード挿入途中の状態を表す図２Ａ−Ａ線断面説明図
【図１４】カード挿入完了時の状態を表す図２Ａ−Ａ線断面説明図
【図１５】ホールドダウンを表す説明図であり（ａ）はこの発明の実施例の裏面側斜視説明図、（ｂ）はホールドダウン部分の拡大斜視説明図
【図１６】従来例１を表す断面説明図
【図１７】従来例２を表す断面説明図
【符号の説明】
【００４８】
１  ＩＣカード用コネクタ
１１  カード挿入孔
２  ハウジング
３  シールドカバープレート
３１  ハウジング係止部
３２  プレート本体
３３  シールド固定部
３４  摺動溝
３４ａ  傾斜部
３５  位置決め孔
３６  第１逃がし開口
３６ａ  挿入側端部
３７  第２逃がし開口
３８  ホールドダウン
３８ａ  ホールド金具
３８ｂ  プレート接触部
４  スライドプレート
４ａ  スライド本体
４１  摺動突部
４２  カード当接部
４３  カード保持部
４３ａ  下部案内部
４４  カード案内部
４５  第１押圧突部
４６  傾斜部
４７  第２押圧突部
４８  傾斜部
５  コンタクト
５１  基板固定部
５２  中間部
５３  コンタクト部
６  イジェクト装置
【図１】
2010033935.tif 000003
【図２】
2010033935.tif 000004
【図３】
2010033935.tif 000005
【図４】
2010033935.tif 000006
【図５】
2010033935.tif 000007
【図６】
2010033935.tif 000008
【図７】
2010033935.tif 000009
【図８】
2010033935.tif 000010
【図９】
2010033935.tif 000011
【図１０】
2010033935.tif 000012
【図１１】
2010033935.tif 000013
【図１２】
2010033935.tif 000014
【図１３】
2010033935.tif 000015
【図１４】
2010033935.tif 000016
【図１５】
2010033935.tif 000017
【図１６】
2010033935.tif 000018
【図１７】
2010033935.tif 000019